(57)【特許請求の範囲】
【請求項１】
充放電可能な蓄電装置を収納した蓄電装置収納室の室内の温度を調節する収納室温度調節システムであって、
それぞれが前記蓄電装置収納室の室内と室外とを連通するように形成された給気口及び排気口と、
前記給気口及び前記排気口を介して、前記室内と前記室外との間で空気を入れ換えるファンと、
前記室内の温度を検出する室内温度検出手段と、
前記蓄電装置が充放電を終了した後、前記室外の暗騒音が比較的高い第一の時間帯においては、前記室内の温度が第一の設定温度以上である場合に前記ファンを駆動させるとともに、
前記蓄電装置が充放電を終了した後、前記室外の暗騒音が比較的低い第二の時間帯においては、前記室内の温度が前記第一の設定温度より高い第二の設定温度以上である場合に前記ファンを駆動させる制御手段と、
を具備し、
前記制御手段は、
前記第二の時間帯において前記ファンを駆動させた後、前記室内の温度が、前記第一の設定温度より高く、かつ前記第二の設定温度より低い第三の設定温度未満となった場合に、前記ファンの駆動を停止させる、収納室温度調節システム。
【請求項２】
充放電可能な蓄電装置を収納した蓄電装置収納室の室内の温度を調節する収納室温度調節システムであって、
それぞれが前記蓄電装置収納室の室内と室外とを連通するように形成された給気口及び排気口と、
前記給気口及び前記排気口を介して、前記室内と前記室外との間で空気を入れ換えるファンと、
前記室内の温度を検出する室内温度検出手段と、
前記蓄電装置が充放電を終了した後、前記室外の暗騒音が比較的高い第一の時間帯においては、前記室内の温度が第一の設定温度以上である場合に前記ファンを駆動させるとともに、
前記蓄電装置が充放電を終了した後、前記室外の暗騒音が比較的低い第二の時間帯においては、前記室内の温度が前記第一の設定温度より高い第二の設定温度以上である場合に前記ファンを駆動させる制御手段と、
を具備し、
前記蓄電装置は、
充電した電力を深夜電力の適用がない日中に放電可能であり、
前記制御手段は、
日中において前記室内の温度が第一の設定温度以上である場合、及び前記蓄電装置が放電中である場合に前記ファンを駆動させる、収納室温度調節システム。
【請求項３】
充放電可能な蓄電装置を収納した蓄電装置収納室の室内の温度を調節する収納室温度調節システムであって、
それぞれが前記蓄電装置収納室の室内と室外とを連通するように形成された給気口及び排気口と、
前記給気口及び前記排気口を介して、前記室内と前記室外との間で空気を入れ換えるファンと、
前記室内の温度を検出する室内温度検出手段と、
前記蓄電装置が充放電を終了した後、前記室外の暗騒音が比較的高い第一の時間帯においては、前記室内の温度が第一の設定温度以上である場合に前記ファンを駆動させるとともに、
前記蓄電装置が充放電を終了した後、前記室外の暗騒音が比較的低い第二の時間帯においては、前記室内の温度が前記第一の設定温度より高い第二の設定温度以上である場合に前記ファンを駆動させる制御手段と、
を具備し、
前記制御手段は、
前記第二の時間帯において前記ファンを駆動させた後、前記室内の温度が、前記第一の設定温度より高く、かつ前記第二の設定温度より低い第三の設定温度未満となった場合に、前記ファンの駆動を停止させ、
前記蓄電装置は、
充電した電力を深夜電力の適用がない日中に放電可能であり、
前記制御手段は、
日中において前記室内の温度が第一の設定温度以上である場合、及び前記蓄電装置が放電中である場合に前記ファンを駆動させる、収納室温度調節システム。
【発明の詳細な説明】
【技術分野】
【０００１】
本発明は、充放電可能な蓄電装置を収納した蓄電装置収納室の室内の温度を調節する収納室温度調節システムの技術に関する。
【背景技術】
【０００２】
従来、蓄電装置を収納した蓄電装置収納室の室内の温度を調節する収納室温度調節システムの技術は公知となっている。例えば、特許文献１に記載の如くである。
【０００３】
特許文献１に記載の収納室温度調節システムでは、蓄電装置を収納した蓄電装置収納室の室内の温度に基づいて給気口を開閉することによって、当該蓄電装置収納室の室内の温度を調節し、蓄電装置を適切な温度環境で使用することができる。
【０００４】
しかし、特許文献１に記載の技術では、給気口を開放した際に蓄電装置やファンの駆動により室外へ騒音が発生してしまうという点で不利であった。特に、室外の暗騒音が比較的低い深夜などの時間帯においては、この室外への騒音の発生を抑制することが必要となる。
【先行技術文献】
【特許文献】
【０００５】
【特許文献１】特開２０１０−１６３８４９号公報
【発明の概要】
【発明が解決しようとする課題】
【０００６】
本発明は以上の如き状況に鑑みてなされたものであり、その解決しようとする課題は、蓄電装置やファンの駆動による室外への騒音の発生を抑制することができる収納室温度調節システムを提供するものである。
【課題を解決するための手段】
【０００７】
本発明の解決しようとする課題は以上の如くであり、次にこの課題を解決するための手段を説明する。
【０００８】
即ち、請求項１においては、充放電可能な蓄電装置を収納した蓄電装置収納室の室内の温度を調節する収納室温度調節システムであって、それぞれが前記蓄電装置収納室の室内と室外とを連通するように形成された給気口及び排気口と、前記給気口及び前記排気口を介して、前記室内と前記室外との間で空気を入れ換えるファンと、前記室内の温度を検出する室内温度検出手段と、前記蓄電装置が充放電を終了した後、前記室外の暗騒音が比較的高い第一の時間帯においては、前記室内の温度が第一の設定温度以上である場合に前記ファンを駆動させるとともに、前記蓄電装置が充放電を終了した後、前記室外の暗騒音が比較的低い第二の時間帯においては、前記室内の温度が前記第一の設定温度より高い第二の設定温度以上である場合に前記ファンを駆動させる制御手段と、を具備し、前記制御手段は、前記第二の時間帯において前記ファンを駆動させた後、前記室内の温度が、前記第一の設定温度より高く、かつ前記第二の設定温度より低い第三の設定温度未満となった場合に、前記ファンの駆動を停止させるものである。
【０００９】
請求項２においては、充放電可能な蓄電装置を収納した蓄電装置収納室の室内の温度を調節する収納室温度調節システムであって、それぞれが前記蓄電装置収納室の室内と室外とを連通するように形成された給気口及び排気口と、前記給気口及び前記排気口を介して、前記室内と前記室外との間で空気を入れ換えるファンと、前記室内の温度を検出する室内温度検出手段と、前記蓄電装置が充放電を終了した後、前記室外の暗騒音が比較的高い第一の時間帯においては、前記室内の温度が第一の設定温度以上である場合に前記ファンを駆動させるとともに、前記蓄電装置が充放電を終了した後、前記室外の暗騒音が比較的低い第二の時間帯においては、前記室内の温度が前記第一の設定温度より高い第二の設定温度以上である場合に前記ファンを駆動させる制御手段と、を具備し、前記蓄電装置は、充電した電力を深夜電力の適用がない日中に放電可能であり、前記制御手段は、日中において前記室内の温度が第一の設定温度以上である場合、及び前記蓄電装置が放電中である場合に前記ファンを駆動させるものである。
【００１０】
請求項３においては、充放電可能な蓄電装置を収納した蓄電装置収納室の室内の温度を調節する収納室温度調節システムであって、それぞれが前記蓄電装置収納室の室内と室外とを連通するように形成された給気口及び排気口と、前記給気口及び前記排気口を介して、前記室内と前記室外との間で空気を入れ換えるファンと、前記室内の温度を検出する室内温度検出手段と、前記蓄電装置が充放電を終了した後、前記室外の暗騒音が比較的高い第一の時間帯においては、前記室内の温度が第一の設定温度以上である場合に前記ファンを駆動させるとともに、前記蓄電装置が充放電を終了した後、前記室外の暗騒音が比較的低い第二の時間帯においては、前記室内の温度が前記第一の設定温度より高い第二の設定温度以上である場合に前記ファンを駆動させる制御手段と、を具備し、前記制御手段は、前記第二の時間帯において前記ファンを駆動させた後、前記室内の温度が、前記第一の設定温度より高く、かつ前記第二の設定温度より低い第三の設定温度未満となった場合に、前記ファンの駆動を停止させ、前記蓄電装置は、充電した電力を深夜電力の適用がない日中に放電可能であり、前記制御手段は、日中において前記室内の温度が第一の設定温度以上である場合、及び前記蓄電装置が放電中である場合に前記ファンを駆動させるものである。
【発明の効果】
【００１１】
本発明の効果として、以下に示すような効果を奏する。
【００１２】
請求項１においては、蓄電装置収納室の室外の暗騒音が比較的低い時間帯には、できるだけファンを駆動させないようにすることによって、蓄電装置やファンの駆動による室外への騒音の発生を抑制することができる。
また、蓄電装置収納室の室外の暗騒音が比較的低い時間帯においても、室内の温度が一定値（第二の設定温度）以上に上昇した場合にはファンを駆動させるため、蓄電装置の温度上昇に伴う不具合の発生を防止することができる。
また、蓄電装置収納室の室外の暗騒音が比較的低い時間帯には、早めにファンの駆動を停止させ、室外への騒音の発生を抑制することができる。
【００１３】
請求項２においては、蓄電装置収納室の室外の暗騒音が比較的低い時間帯には、できるだけファンを駆動させないようにすることによって、蓄電装置やファンの駆動による室外への騒音の発生を抑制することができる。
また、蓄電装置収納室の室外の暗騒音が比較的低い時間帯においても、室内の温度が一定値（第二の設定温度）以上に上昇した場合にはファンを駆動させるため、蓄電装置の温度上昇に伴う不具合の発生を防止することができる。
また、蓄電装置収納室の室外の暗騒音が比較的高いと考えられる日中は、蓄電装置やファンの駆動による室外への騒音の発生が問題にならないため、当該ファンを駆動させて蓄電装置の温度上昇に伴う不具合の発生を防止することができる。
【００１４】
請求項３においては、蓄電装置収納室の室外の暗騒音が比較的低い時間帯には、できるだけファンを駆動させないようにすることによって、蓄電装置やファンの駆動による室外への騒音の発生を抑制することができる。
また、蓄電装置収納室の室外の暗騒音が比較的低い時間帯においても、室内の温度が一定値（第二の設定温度）以上に上昇した場合にはファンを駆動させるため、蓄電装置の温度上昇に伴う不具合の発生を防止することができる。
また、蓄電装置収納室の室外の暗騒音が比較的低い時間帯には、早めにファンの駆動を停止させ、室外への騒音の発生を抑制することができる。
また、蓄電装置収納室の室外の暗騒音が比較的高いと考えられる日中は、蓄電装置やファンの駆動による室外への騒音の発生が問題にならないため、当該ファンを駆動させて蓄電装置の温度上昇に伴う不具合の発生を防止することができる。
【図面の簡単な説明】
【００１５】
【図１】本発明の一実施形態に係る収納室温度調節システムを具備する住宅の１階部分を示した平面図。
【図２】住宅が具備する電力供給システムを示したブロック図。
【図３】収納室温度調節システムの構成を示した側面断面模式図。
【図４】蓄電装置が充電している場合における収納室温度調節システムの制御態様を示したフローチャート。
【図５】蓄電装置の充電が終了した場合における収納室温度調節システムの制御態様を示したフローチャート。
【図６】日中における収納室温度調節システムの制御態様を示したフローチャート。
【発明を実施するための形態】
【００１６】
まず、図１を用いて、本発明に係る収納室温度調節システムの一実施形態に係る収納室温度調節システム２００を具備する住宅１００（１階部分のみ）の全体構成について説明する。なお、本発明は住宅に適用されるものに限らず、オフィスビル、駅舎、ホテル等の種々の建築物に広く適用することが可能である。
【００１７】
住宅１００の１階には、玄関１０１、玄関ホール１０２、廊下１０３、トイレ１０４、折り返し階段１０５、階段下収納１０６、デッキ１０７及び車庫１０８が配置される。
【００１８】
住宅１００の北東部分には玄関１０１が配置され、当該玄関１０１の南西側には玄関ホール１０２が配置される。玄関ホール１０２の西側には、西方向に向かって廊下１０３が延設される。廊下１０３の北側には、東から西に向かって順にトイレ１０４及び折り返し階段１０５が住宅１００の外壁１００ａに沿うように配置される。また、折り返し階段１０５の下方には階段下収納１０６が配置される。
【００１９】
階段下収納１０６内には、後述する蓄電装置収納室１１０が配置され、さらに当該蓄電装置収納室１１０内には、後述する蓄電装置４０が配置される。
【００２０】
廊下１０３の西端（住宅１００の南西部分）には、デッキ１０７が配置される。デッキ１０７の東側（住宅１００の南東部分）には、車庫１０８が配置される。
【００２１】
次に、図２を用いて、住宅１００が具備する電力供給システム１について説明する。
【００２２】
電力供給システム１は、住宅等に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００２３】
発電部１０は、太陽光を利用して発電する装置であり、太陽電池パネル等により構成される。発電部１０は、例えば、住宅の屋根の上に設置される。
【００２４】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２５】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００２６】
充放電用コンセント群３１は、充電用コンセント３２、ＬＡＮ用コンセント３３及び放電用コンセント３４を具備する。
【００２７】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
【００２８】
負荷５０は、住宅内において電力が消費される電化製品等であり、特に、停電時（非常時）においても電力を供給する必要がある「特定の負荷」である。
本実施形態においては、負荷５０（特定の負荷）として、リビングに設けられるリビングコンセント５１、冷蔵庫５２、及びリビングに設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００２９】
その他の負荷８０は、住宅内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング以外に設けられるコンセントや照明等が挙げられる。
その他の負荷８０は、分電盤３０に接続される。
【００３０】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００３１】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００３２】
次に、図２を用いて、上述の如く構成された電力供給システム１において、商用電源９０からの電力が問題なく供給される場合の電力の供給態様について説明する。
【００３３】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３４】
この状態においては、発電部１０において発電された直流電力は、パワーコンディショナ２０において交流電力に変換され、分電盤３０に供給される。また、商用電源９０からの交流電力も分電盤３０に供給される。
【００３５】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００３６】
また、発電部１０及び商用電源９０から分電盤３０に供給された電力は、その他の負荷８０に供給される。すなわち、居住者は、発電部１０及び商用電源９０からの電力によって、リビング以外に設けられるコンセントに接続された機器を利用したり、リビング以外の照明等を点灯させたりすることができる。
【００３７】
また、その他の負荷８０で消費する電力が、発電部１０からの電力だけで十分まかなえる場合は、商用電源９０からの電力を用いないようにすることも可能である。これによって、電力料金を節約することができる。
【００３８】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００３９】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００４０】
次に、停電時（商用電源９０からの電力が供給不能な場合）における電力の供給態様について説明する。
【００４１】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００４２】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００４３】
この状態においては、発電部１０において発電された電力は、パワーコンディショナ２０、非常用コンセント２１及びケーブル４１を介して蓄電装置４０に充電される。
【００４４】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４５】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００４６】
次に、図３を用いて、収納室温度調節システム２００の構成について説明する。
【００４７】
収納室温度調節システム２００は、蓄電装置４０を収納した蓄電装置収納室１１０の室内の温度を調節するものである。収納室温度調節システム２００は、主として給気口２０１、排気口２０２、ファン２０３、室内温度センサ２０４及び制御手段２０５等を具備する。
【００４８】
給気口２０１及び排気口２０２は、蓄電装置収納室１１０の室内と室外とを連通するように形成される。より詳細には、給気口２０１及び排気口２０２は、蓄電装置収納室１１０を形成している外壁１００ａに形成されることで、蓄電装置収納室１１０の室内と住宅１００の屋外の空間とを連通する。
【００４９】
ファン２０３は、給気口２０１及び排気口２０２を介して、蓄電装置収納室１１０の室内と室外との間で空気を入れ換えるものである。ファン２０３は、排気口２０２内に設けられる。ファン２０３が駆動すると、蓄電装置収納室１１０内の空気が排気口２０２を介して屋外へと排出される。これに伴って、給気口２０１からは屋外の空気が蓄電装置収納室１１０内へと取り込まれる。
【００５０】
室内温度センサ２０４は、本発明に係る室内温度検出手段の一実施形態であり、蓄電装置収納室１１０の室内の温度を検出するものである。
【００５１】
制御手段２０５は、種々の情報に基づいてファン２０３の駆動を制御するものである。制御手段２０５は、ＲＡＭやＲＯＭ等の記憶部、ＣＰＵ等の演算処理部等により構成される。
制御手段２０５はファン２０３に接続され、当該ファン２０３の駆動を制御することができる。
制御手段２０５は室内温度センサ２０４に接続され、蓄電装置収納室１１０の室内の温度に関する情報を取得することができる。
制御手段２０５は蓄電装置４０に接続され、当該蓄電装置４０が充電又は放電しているか否か等の当該蓄電装置４０に関する情報を取得することができる。
【００５２】
次に、図４から図６までを用いて、収納室温度調節システム２００による蓄電装置収納室１１０の室内の温度を調節する際の制御態様について説明する。
【００５３】
なお、以下では、室内温度センサ２０４によって検出される蓄電装置収納室１１０の室内の実際の温度を「室内温度Ｔ」とし、予め設定される設定温度をそれぞれ「第一の設定温度Ｔ１」、「第二の設定温度Ｔ２」及び「第三の設定温度Ｔ３」とする。第一の設定温度Ｔ１、第二の設定温度Ｔ２及び第三の設定温度Ｔ３の大小関係は、Ｔ１＜Ｔ３＜Ｔ２であるものとする。例えば、Ｔ１＝３５（℃）、Ｔ２＝４０（℃）、Ｔ３＝３８（℃）等に設定される。
第一の設定温度Ｔ１は、蓄電装置４０に不具合が発生することがなく、また当該蓄電装置４０が効率良く稼働することができる温度帯のうち、最も高い温度に近い値設定される。
第二の設定温度Ｔ２は、蓄電装置４０の稼働効率は落ちるものの、当該蓄電装置４０に不具合が生じることまではない温度帯（第一の設定温度Ｔ１よりも高い温度帯）のうち、最も高い温度に近い設定される。
【００５４】
まず、図３及び図４を用いて、蓄電装置４０が充電している場合における収納室温度調節システム２００による制御態様について説明する。
【００５５】
前述の如く、商用電源９０の深夜電力は、日中の電力（深夜電力のような割安な料金設定の適用がない電力）よりも料金が安く設定されているため、蓄電装置４０はできるだけ深夜帯（深夜電力の料金設定が適用される時間帯）に当該商用電源９０からの充電を行う。
【００５６】
ステップＳ１０１において、制御手段２０５は、室内温度Ｔが、第二の設定温度Ｔ２以上であるか否かを判定する。
制御手段２０５は、室内温度Ｔが第二の設定温度Ｔ２以上であると判定した場合、ステップＳ１０２に移行する。
制御手段２０５は、室内温度Ｔが第二の設定温度Ｔ２未満であると判定した場合、ステップＳ１０５に移行する。
【００５７】
ステップＳ１０２において、制御手段２０５は、ファン２０３を駆動させる。
制御手段２０５は、上記処理を行った後、ステップＳ１０３に移行する。
【００５８】
ステップＳ１０３において、制御手段２０５は、室内温度Ｔが、第三の設定温度Ｔ３未満であるか否かを判定する。
制御手段２０５は、室内温度Ｔが第三の設定温度Ｔ３未満であると判定した場合、ステップＳ１０４に移行する。
制御手段２０５は、室内温度Ｔが第三の設定温度Ｔ３以上であると判定した場合、ステップＳ１０３の処理を再度行う。
【００５９】
ステップＳ１０４において、制御手段２０５は、ファン２０３の駆動を停止させる。
制御手段２０５は、上記処理を行った後、ステップＳ１０５に移行する。
【００６０】
ステップＳ１０５において、制御手段２０５は、蓄電装置４０の充電を停止するための条件が満たされているか否かを判定する。
ここで、蓄電装置４０の充電を停止するための条件としては、（１）蓄電装置４０の充電量が所定値以上になること、又は（２）蓄電装置４０の充電を開始してから所定の時間だけ経過すること、等があり、任意に設定される。
制御手段２０５は、蓄電装置４０の充電を停止するための条件が満たされていると判定した場合、ステップＳ１０６に移行する。
制御手段２０５は、蓄電装置４０の充電を停止するための条件が満たされていないと判定した場合、ステップＳ１０１に移行する。
【００６１】
ステップＳ１０６において、制御手段２０５は、蓄電装置４０による充電を終了させる。
なお、この処理は、電力供給システム１内の情報を管理するホームサーバ６０（図２参照）を介して行うことも可能である。
【００６２】
上述の如く、蓄電装置４０が深夜帯に充電を行っている場合には、制御手段２０５は室内温度Ｔが比較的高い温度である第二の設定温度Ｔ２以上になった場合にのみ（ステップＳ１０１）、ファン２０３を駆動させ（ステップＳ１０２）、蓄電装置収納室１１０の室内の空気と室外との間で空気を入れ換え、当該室内温度Ｔを低下させる。
このように、本来ならば室内温度Ｔが第一の設定温度Ｔ１以上になった時点でファン２０３を駆動させたほうが蓄電装置４０の稼働効率は良いのにもかかわらず、あえて室内温度Ｔが第二の設定温度Ｔ２以上になった時点ではじめてファン２０３を駆動させることで、深夜帯におけるファン２０３の駆動をできるだけ避け、当該ファン２０３や蓄電装置収納室１１０内の蓄電装置４０の稼働音に基づく室外への騒音の発生を抑制することができる。
【００６３】
また、制御手段２０５は、ファン２０３を駆動させた場合、室内温度Ｔが第一の設定温度Ｔ１よりも高い第三の設定温度Ｔ３未満になると（ステップＳ１０３）、当該ファン２０３の駆動を停止させる（ステップＳ１０４）。
このように、本来ならば室内温度Ｔが第一の設定温度Ｔ１未満になるまでファン２０３を駆動させたほうが良いのにもかかわらず、あえて室内温度Ｔが第三の設定温度Ｔ３未満になった時点でファン２０３の駆動を停止させることで、深夜帯においては早めにファン２０３の駆動を停止させ、当該ファン２０３や蓄電装置収納室１１０内の蓄電装置４０の稼働音に基づく室外への騒音の発生を抑制することができる。
【００６４】
また、制御手段２０５は、蓄電装置４０の充電を停止するための条件が満たされている場合（ステップＳ１０５）、当該蓄電装置４０による充電を停止させる（ステップＳ１０６）。この後、制御手段２０５は、後述する蓄電装置４０の充電が終了した場合における制御（図５参照）へと移行する。
【００６５】
なお、上記説明（図４参照）においては、蓄電装置４０が「充電」している場合を例に挙げて説明したが、本発明はこれに限るものではない。すなわち、蓄電装置４０が「充電」ではなく「放電」している場合であっても、上記と同様の制御を行うことが可能である。
【００６６】
次に、図３及び図５を用いて、蓄電装置４０の充電が終了した場合（図４のステップＳ１０６参照）における収納室温度調節システム２００による制御態様について説明する。
【００６７】
ステップＳ１１１において、制御手段２０５は、蓄電装置４０の充電が終了した時刻が、第一の時間帯であるか否かを判定する。
【００６８】
ここで、第一の時間帯とは、予め設定される時間帯であり、蓄電装置収納室１１０の室外（屋外）の暗騒音が比較的高いと考えられる時間帯である。例えば、午前６時から商用電源９０の深夜電力の適用が開始される時刻までの時間帯に設定される。
【００６９】
制御手段２０５は、ステップＳ１１１において、蓄電装置４０の充電が終了した時刻が第一の時間帯であると判定した場合、ステップＳ１１２に移行する。
制御手段２０５は、蓄電装置４０の充電が終了した時刻が第一の時間帯でない、すなわち第二の時間帯であると判定した場合、ステップＳ１１６に移行する。
【００７０】
ここで、第二の時間帯とは、第一の時間帯以外の時間帯であり、蓄電装置収納室１１０の室外（屋外）の暗騒音が比較的低いと考えられる時間帯である。例えば、商用電源９０の深夜電力の適用が開始される時刻から午前６時までの時間帯に設定される。
【００７１】
ステップＳ１１２において、制御手段２０５は、室内温度Ｔが、第一の設定温度Ｔ１以上であるか否かを判定する。
制御手段２０５は、室内温度Ｔが第一の設定温度Ｔ１以上であると判定した場合、ステップＳ１１３に移行する。
制御手段２０５は、室内温度Ｔが第一の設定温度Ｔ１未満であると判定した場合、当該制御を終了する。
【００７２】
ステップＳ１１３において、制御手段２０５は、ファン２０３を駆動させる。
制御手段２０５は、上記処理を行った後、ステップＳ１１４に移行する。
【００７３】
ステップＳ１１３において、制御手段２０５は、室内温度Ｔが、第一の設定温度Ｔ１未満であるか否かを判定する。
制御手段２０５は、室内温度Ｔが第一の設定温度Ｔ１未満であると判定した場合、ステップＳ１１５に移行する。
制御手段２０５は、室内温度Ｔが第一の設定温度Ｔ１以上であると判定した場合、ステップＳ１１３の処理を再度行う。
【００７４】
ステップＳ１１５において、制御手段２０５は、ファン２０３の駆動を停止させる。
【００７５】
また、ステップＳ１１６において、制御手段２０５は、室内温度Ｔが、第二の設定温度Ｔ２以上であるか否かを判定する。
制御手段２０５は、室内温度Ｔが第二の設定温度Ｔ２以上であると判定した場合、ステップＳ１１７に移行する。
制御手段２０５は、室内温度Ｔが第二の設定温度Ｔ２未満であると判定した場合、当該制御を終了する。
【００７６】
ステップＳ１１７において、制御手段２０５は、ファン２０３を駆動させる。
制御手段２０５は、上記処理を行った後、ステップＳ１１８に移行する。
【００７７】
ステップＳ１１８において、制御手段２０５は、室内温度Ｔが、第三の設定温度Ｔ３未満であるか否かを判定する。
制御手段２０５は、室内温度Ｔが第三の設定温度Ｔ３未満であると判定した場合、ステップＳ１１５に移行する。
制御手段２０５は、室内温度Ｔが第三の設定温度Ｔ３以上であると判定した場合、ステップＳ１１８の処理を再度行う。
【００７８】
上述の如く、蓄電装置４０の充電が終了した時刻が第一の時間帯（室外の暗騒音が比較的高い時間帯）である場合（ステップＳ１１１）、制御手段２０５は室内温度Ｔが第一の設定温度Ｔ１以上になった場合（ステップＳ１１２）にファン２０３を駆動させて（ステップＳ１１３）蓄電装置収納室１１０の空気を換気し、室内温度Ｔが第一の設定温度Ｔ１未満になった時点（ステップＳ１１４）でファン２０３の駆動を停止させる（ステップＳ１１５）。
このように、蓄電装置４０の充電が終了した時刻が第一の時間帯である場合には、ファン２０３や蓄電装置４０によって室外に騒音が発生したとしても、室外の暗騒音が高いため、あまり問題になることがない。そこで、この場合は室内温度Ｔを第一の設定温度Ｔ１未満に保持するようにファン２０３の駆動を制御し、蓄電装置収納室１１０の室内を蓄電装置４０に最適な温度環境とする。
【００７９】
一方、蓄電装置４０の充電が終了した時刻が第二の時間帯（室外の暗騒音が比較的低い時間帯）である場合（ステップＳ１１１）、制御手段２０５は室内温度Ｔが比較的高い温度である第二の設定温度Ｔ２以上になった場合（ステップＳ１１６）にのみファン２０３を駆動させて（ステップＳ１１７）蓄電装置収納室１１０の空気を換気し、室内温度Ｔが第三の設定温度Ｔ３未満になった時点（ステップＳ１１８）でファン２０３の駆動を停止させる（ステップＳ１１５）。
このように、本来ならば室内温度Ｔが第一の設定温度Ｔ１以上になった時点でファン２０３を駆動させたほうが蓄電装置４０の稼働効率は良いのにもかかわらず、あえて室内温度Ｔが第二の設定温度Ｔ２以上になった時点ではじめてファン２０３を駆動させることで、第二の時間帯（室外の暗騒音が比較的低い時間帯）におけるファン２０３の駆動をできるだけ避け、当該ファン２０３や蓄電装置収納室１１０内の蓄電装置４０の稼働音に基づく室外への騒音の発生を抑制することができる。
また、本来ならば室内温度Ｔが第一の設定温度Ｔ１未満になるまでファン２０３を駆動させたほうが良いのにもかかわらず、あえて室内温度Ｔが第三の設定温度Ｔ３未満になった時点でファン２０３の駆動を停止させることで、第二の時間帯においては早めにファン２０３の駆動を停止させ、当該ファン２０３や蓄電装置収納室１１０内の蓄電装置４０の稼働音に基づく室外への騒音の発生を抑制することができる。
【００８０】
なお、上記説明（図５参照）においては、蓄電装置４０の「充電」が終了した場合における収納室温度調節システム２００による制御態様について説明したが、本発明はこれに限るものではない。すなわち、蓄電装置４０の「放電」が終了した場合においても、上記と同様の制御を行うことが可能である。
【００８１】
以上の如く、本実施形態に係る収納室温度調節システム２００は、充放電可能な蓄電装置４０を収納した蓄電装置収納室１１０の室内の温度を調節する収納室温度調節システム２００であって、それぞれが蓄電装置収納室１１０の室内と室外とを連通するように形成される給気口２０１及び排気口２０２と、給気口２０１及び排気口２０２を介して、前記室内と前記室外との間で空気を入れ換えるファン２０３と、前記室内の温度（室内温度Ｔ）を検出する室内温度センサ２０４（室内温度検出手段）と、蓄電装置４０が充放電を終了した後、前記室外の暗騒音が比較的高い第一の時間帯においては、室内温度Ｔが第一の設定温度Ｔ１以上である場合にファン２０３を駆動させるとともに、前記室外の暗騒音が比較的低い第二の時間帯においては、室内温度Ｔが第一の設定温度Ｔ１より高い第二の設定温度Ｔ２以上である場合にファン２０３を駆動させる制御手段２０５と、を具備するものである。
このように構成することにより、蓄電装置収納室１１０の室外の暗騒音が比較的低い時間帯には、できるだけファン２０３を駆動させないようにすることによって、蓄電装置４０やファン２０３の駆動による室外への騒音の発生を抑制することができる。
また、蓄電装置収納室１１０の室外の暗騒音が比較的低い時間帯においても、室内温度Ｔが一定値（第二の設定温度Ｔ２）以上に上昇した場合にはファン２０３を駆動させるため、蓄電装置４０の温度上昇に伴う不具合の発生を防止することができる。
【００８２】
また、制御手段２０５は、前記第二の時間帯においてファン２０３を駆動させた後、室内温度Ｔが、第一の設定温度Ｔ１より高く、かつ第二の設定温度Ｔ２より低い第三の設定温度Ｔ３未満となった場合に、ファン２０３の駆動を停止させるものである。
このように構成することにより、蓄電装置収納室１１０の室外の暗騒音が比較的低い時間帯には、早めにファン２０３の駆動を停止させ、室外への騒音の発生を抑制することができる。
【００８３】
次に、図３及び図６を用いて、日中における収納室温度調節システム２００による制御態様について説明する。
【００８４】
前述の如く、日中においては深夜に比べて商用電源９０の電力料金が高く設定されている（深夜電力の適用がない）ため、蓄電装置４０は必要に応じて深夜に充電した電力を放電して種々の負荷へと供給することで、電気料金の節約を図る。
【００８５】
ステップＳ１２１において、制御手段２０５は、蓄電装置４０が放電を開始したか否かを判定する。
制御手段２０５は、蓄電装置４０が放電を開始したと判定した場合、ステップＳ１２２に移行する。
制御手段２０５は、蓄電装置４０が放電を開始していないと判定した場合、ステップＳ１２６に移行する。
【００８６】
ステップＳ１２２において、制御手段２０５は、ファン２０３を駆動させる。
制御手段２０５は、上記処理を行った後、ステップＳ１２３に移行する。
【００８７】
ステップＳ１２３において、制御手段２０５は、蓄電装置４０が放電を終了したか否かを判定する。
制御手段２０５は、蓄電装置４０が放電を終了したと判定した場合、ステップＳ１２４に移行する。
制御手段２０５は、蓄電装置４０が放電を終了していないと判定した場合、ステップＳ１２３の処理を再度行う。
【００８８】
ステップＳ１２４において、制御手段２０５は、室内温度Ｔが、第一の設定温度Ｔ１未満であるか否かを判定する。
制御手段２０５は、室内温度Ｔが第一の設定温度Ｔ１未満であると判定した場合、ステップＳ１２５に移行する。
制御手段２０５は、室内温度Ｔが第一の設定温度Ｔ１以上であると判定した場合、ステップＳ１２４の処理を再度行う。
【００８９】
ステップＳ１２５において、制御手段２０５は、ファン２０３の駆動を停止させる。
【００９０】
また、ステップＳ１２６において、制御手段２０５は、室内温度Ｔが、第一の設定温度Ｔ１以上であるか否かを判定する。
制御手段２０５は、室内温度Ｔが第一の設定温度Ｔ１以上であると判定した場合、ステップＳ１２７に移行する。
制御手段２０５は、室内温度Ｔが第一の設定温度Ｔ１未満であると判定した場合、当該制御を終了する（すなわち、再度ステップＳ１２１の処理を行うことになる）。
【００９１】
ステップＳ１２７において、制御手段２０５は、ファン２０３を駆動させる。
制御手段２０５は、上記処理を行った後、ステップＳ１２４に移行する。
【００９２】
上述の如く、日中においては、制御手段２０５は蓄電装置４０が放電している場合（ステップＳ１２１）、及び蓄電装置４０が放電していなくても室内温度Ｔが第一の設定温度Ｔ１以上である場合（ステップＳ１２４及びステップＳ１２６）にはファン２０３を駆動させて（ステップＳ１２２及びステップＳ１２７）蓄電装置収納室１１０の空気を換気し、室内温度Ｔが第一の設定温度Ｔ１未満になった時点（ステップＳ１２４）でファン２０３の駆動を停止させる（ステップＳ１２５）。
このように、日中においては、ファン２０３や蓄電装置４０によって室外に騒音が発生したとしても、室外の暗騒音が高いため、あまり問題になることがない。そこで、日中においては、蓄電装置４０が放電している際は常にファン２０３を駆動するように制御することで室内温度Ｔの上昇を抑制するとともに、蓄電装置４０が放電していない場合は室内温度Ｔを第一の設定温度Ｔ１未満に保持するようにファン２０３の駆動を制御することで、蓄電装置収納室１１０の室内を蓄電装置４０に最適な温度環境とする。
【００９３】
なお、上記説明（図６参照）においては、蓄電装置４０が日中において「放電」している場合を例に挙げて説明したが、本発明はこれに限るものではない。すなわち、蓄電装置４０が日中において発電部１０（図２参照）からの電力を「充電」している場合であっても、上記と同様の制御を行うことができる。
【００９４】
以上の如く、蓄電装置４０は、充電した電力を深夜電力の適用がない日中に放電可能であり、制御手段２０５は、日中において室内温度Ｔが第一の設定温度Ｔ１以上である場合、及び蓄電装置４０が放電中である場合にファン２０３を駆動させるものである。
このように構成することにより、蓄電装置収納室１１０の室外の暗騒音が比較的高いと考えられる日中は、蓄電装置４０やファン２０３の駆動による室外への騒音の発生が問題にならないため、当該ファン２０３を駆動させて蓄電装置４０の温度上昇に伴う不具合の発生を防止することができる。
【００９５】
なお、本実施形態に係る給気口２０１、排気口２０２、ファン２０３及び室内温度センサ２０４の配置、個数、形状等は限定するものではない。
また、制御手段２０５は、電力供給システム１が具備するホームサーバ６０（図２参照）により兼用することも可能である。
【符号の説明】
【００９６】
１      電力供給システム
９０    商用電源
１１０  蓄電装置収納室
２００  収納室温度調節システム
２０１  給気口
２０２  排気口
２０３  ファン
２０４  室内温度センサ
２０５  制御手段
【図１】
0005941673.tif 000002
【図２】
0005941673.tif 000003
【図３】
0005941673.tif 000004
【図４】
0005941673.tif 000005
【図５】
0005941673.tif 000006
【図６】
0005941673.tif 000007